(57)【特許請求の範囲】
【請求項１】
グリップ近傍側から石突ゴム側までの間でシャフト径の太さが異なるステッキ用のパーツを収納して販売するためのパッケージであって、ステッキにおけるパーツを取り付ける部位を測定するためのゲージが設けられているとともに、該ゲージ近傍に該ゲージで測定するステッキの測定部位が図示されていることを特徴とするステッキパーツ用ゲージ付パッケージ。
【請求項２】
前記ゲージは直径部分が開口した半円形であることを特徴とする請求項１に記載のステッキパーツ用ゲージ付パッケージ。
【請求項３】
前記ゲージは一辺が開口した四角形であることを特徴とする請求項１に記載のステッキパーツ用ゲージ付パッケージ。
【発明の詳細な説明】
【技術分野】
【０００１】
本発明は、高齢者などが歩行の補助として利用しているステッキ用の各種パーツを収納して店頭で販売する際に使用されるパッケージに関する。
【背景技術】
【０００２】
近年ステッキをより快適に使用するためにステッキ購入後に石突ゴムを取り替えたり、あるいはストラップを付けたりステッキをテーブルなどに立て掛けるためのホルダーを取り付けて使用する人が増えてきた。そして、これらの需要に応えるために石突ゴム、ストラップ、ホルダーなどのパーツが、それを取り付けるステッキのシャフト径に適合できるように、各種サイズを取り揃えてパッケージに収納された状態で販売されるようになってきた。
【０００３】
ところでパーツ販売用のパッケージとしては、例えば特許文献１として示す特開平１０−２２５３４５号公報に記載されたヒンジ金具パッケージ用台紙がある。
【０００４】
特許文献１に示されるものは二種類以上のヒンジ金具のうち、一つのヒンジ金具のカップ部が貫通できるカップ径判定部を備えたパッケージ台紙により、パッケージを開くことなく、二種類以上のヒンジ金具の種類を簡易且つ確実に判別できるようにしたものである。
【先行技術文献】
【特許文献】
【０００５】
【特許文献１】特開平１０−２２５３４５号公報
【発明の概要】
【発明が解決しようとする課題】
【０００６】
特許文献１が対象としているヒンジ金具は日常的に持ち歩くものではなく、交換することを余儀なくされた場合に売り場へ見本として持参していくものである。また、特許文献１はヒンジ金具という特殊な部品を対象にしており、カップ部の径や金具本体に対するカップ部の突出位置を見分けることができれば、それにより簡単に所望のヒンジ金具の種類を判別できるものである。したがって、カップ部の径やカップ部の突出位置はその位置をいちいち図示して示さなくてもヒンジ金具を見れば即座にその箇所がわかるような構造をしている。
【０００７】
一方、ステッキの場合は、ステッキを必要とする者は外出時には必ずステッキを使用しているため、石突ゴムやストラップなどのパーツを購入するために店頭へ赴く場合にもステッキは手元にあることになる。
【０００８】
石突ゴムはシャフトの先端に取り付けられ、ストラップやホルダーはステッキのグリップ近傍のシャフトに取り付けて使用されるものであるが、近年のステッキは伸縮機構を備えていてシャフト径もグリップ近傍側と石突ゴム側では太さが異なっている場合が多い。また、ステッキのシャフト径は一般的には１５ｍｍ〜２０ｍｍの範囲で１ｍｍ刻みで各種径のものがあるが、使用者は自分が使っているステッキのシャフト径を正確には認識していないのが一般的である。
【０００９】
そこで、石突ゴムやストラップなどのパーツを購入しようとする者が取り付けようとするステッキを使用して店頭へ赴いても、パッケージに単に適合するサイズ（シャフト径）が記載されているだけではどのサイズのものを選択してよいかわからない。さらに、そのサイズのゲージが台紙に設けられていたとしても、ステッキのシャフトが伸縮式の場合はそのサイズがシャフトのどの位置を示すものかがわからないため、ステッキを店頭に持って行っても測定部位がわからず適切なサイズのパーツを選択することは困難である。
【００１０】
また、これらパーツが自分のステッキに取り付け可能かどうかはパッケージを開いて中に収納されているパーツを実際にあてがってみれば確認可能な場合もあるが、無理やり開封されるとパッケージが破損したり商品が汚れたりして販売店としては困る事態となる。しかも、せっかく開封したところで、例えば石突ゴムなどは実際に自分のステッキに適したサイズかどうかは簡単に確認できるものではない。
【００１１】
本発明は、このような問題点を解決するためになされたものであり、その目的とするところは、パッケージを開けなくてもユーザーがパッケージ内の種類の異なるパーツに対応する部位をゲージで間違えることなく測定できるようにしたステッキパーツ用ゲージ付パッケージを提供することである。
【課題を解決するための手段】
【００１２】
上記の目的を達成するために、本発明のステッキパーツ用ゲージ付パッケージは、グリップ近傍側から石突ゴム側までの間でシャフト径の太さが異なるステッキ用のパーツを収納して販売するためのパッケージであって、ステッキにおけるパーツを取り付ける部位を測定するためのゲージが設けられているとともに、該ゲージ近傍に該ゲージで測定するステッキの測定部位が図示されていることを特徴としている。
【００１３】
また、本発明においては、前記ゲージは直径部分が開口した半円形であることが好ましい。
【００１４】
また、本発明においては、前記ゲージは一辺が開口した四角形であることが好ましい。
【発明の効果】
【００１５】
本発明によれば、パッケージに設けられたゲージ近傍にゲージで測定するステッキの測定部位が図示されているため、ユーザーがパッケージ内の種類の異なるパーツに対応する部位をゲージで間違えることなく測定することができる。
【図面の簡単な説明】
【００１６】
【図１】パーツとしてストラップを収納した例を示す本発明に係るステッキパーツ用ゲージ付パッケージの斜視図である。
【図２】図１に示すステッキパーツ用ゲージ付パッケージのゲージ使用方法を示す説明図であり、（Ａ）は計測前、（Ｂ）は計測時を示す。
【図３】パーツとして石突ゴムを収納した例を示す本発明に係るステッキパーツ用ゲージ付パッケージの斜視図である。
【図４】図３に示すステッキパーツ用ゲージ付パッケージのゲージ使用方法を示す説明図であり、（Ａ）は計測前、（Ｂ）は計測時を示す。
【実施例１】
【００１７】
次に、本発明のステッキパーツ用ゲージ付パッケージの一実施例を図１〜図２に基づいて説明する。
【００１８】
本発明のステッキパーツ用ゲージ付パッケージは図１に示すように台紙１とパーツを収納するための透明なビニール袋２とから構成されている。図１はビニール袋２に収納されているパーツとしてストラップ３が収納されている例を示したものである。そして、ストラップ３を収納したビニール袋２はストラップ３が容易に飛び出さない状態にして台紙１に取り付けられている。
【００１９】
台紙１には一辺が開口した四角形のゲージ４が形成されている。図示した例ではシャフト径が１８ｍｍのものを示している。そして、台紙１のゲージ４の近傍にはステッキの測定部位５が図示されている。また、台紙１には商品展示用に棒状のフックを挿通させるための透孔６が形成されている。なお、ストラップ３の適合サイズが例えば１８ｍｍ〜２０ｍｍのように巾がある場合には、台紙１に１８ｍｍ用と２０ｍｍ用の二種類の四角形のゲージ４を設けるようにしてもよい。
【００２０】
次に商品購入時のパッケージに設けられたゲージ４の使用方法を図２に基づいて説明する。
まず、台紙１に図示されている測定部位５を参照してステッキＳの測定箇所を確認する。そして図２（Ａ）に示すようにステッキＳの測定箇所を台紙１に設けられている四角形のゲージ４の入口に位置させ、ステッキＳがゲージ４内に挿入可能かどうか見極める。
【００２１】
そして、挿入可能であれば、図２（Ｂ）に示すようにステッキＳをゲージ４内に完全に挿入した状態とする。ステッキＳを完全に挿入した状態でゲージ４の上下と奥の三辺に対してステッキＳが丁度接触するようであれば、そのステッキＳはゲージ４のサイズに合致したものであることが確認される。もしも、隙間ができるようであればステッキＳはゲージ４よりも小径であることがわかる。
【００２２】
なお、台紙１は台紙と称しているが必ずしも紙製でなくてもよく、例えばプラスチック製のものであってもよい。また、本実施例ではビニール袋２を台紙１に取り付けた例を示しているが、いわゆるブリスターパックやスキンパックでもよい。
【実施例２】
【００２３】
次に、本発明のステッキパーツ用ゲージ付パッケージの他例を図３〜図４に基づいて説明する。
本実施例は、実施例１と異なり、パッケージ全体がプラスチックや紙などで箱状に組み立てられたハンガータイプのいわゆるヘッダーパックであり、組み立てられた箱体の中にパーツが収納されているものである。
【００２４】
パッケージはパーツを収納する箱体１１と箱体１１の一部を延出したヘッダー部１２から構成されている。図２はパーツとして箱体１１に石突ゴム１３が収納されている例を示すが、パッケージは紙製であり、箱体１１の中身は外からは見えないようになっている。
【００２５】
箱体１１の一部を延出したヘッダー部１２には直径部分が開口した半円形のゲージ１４が形成されている。図２に示す例ではシャフト径が１６ｍｍのものを示している。そして、ヘッダー部１２のゲージ１４の近傍にはステッキの測定部位１５が図示されている。また、ヘッダー部１２には商品展示用に棒状のフックを挿通させるための透孔１６が形成されている。
【００２６】
次に商品購入時のパッケージに設けられたゲージ１４の使用方法を図４に基づいて説明する。
まず、ヘッダー部１２に図示されている測定部位１５を参照してステッキＳの測定箇所を確認する。そして図４（Ａ）に示すようにステッキＳの測定箇所をヘッダー部１２に設けられている半円形のゲージ１４の入口に位置させ、ステッキＳがゲージ１４内に挿入可能かどうか見極める。
【００２７】
そして、挿入可能であれば、図４（Ｂ）に示すようにステッキＳをゲージ１４内に完全に挿入した状態とする。ステッキＳを完全に挿入した状態で半円形のゲージ１４の輪郭に対してステッキＳが丁度接触するようであれば、そのステッキＳはゲージ１４のサイズに合致したものであることが確認される。もしも、隙間ができるようであればステッキＳはゲージ１４よりも小径であることがわかる。
【００２８】
なお、上記実施例では測定部位としてシャフト部分を示したが、測定部位はステッキのシャフト部分に限られるものではなく、例えばグリップや石突ゴムであってもよい。また、パッケージの形状も上記実施例のものに限定されるものではなく、ゲージの形状も測定部位により適宜選択可能である。さらに、ゲージが設けられる箇所は台紙やヘッダー部に限られるものでもない。
【符号の説明】
【００２９】
１    台紙
２    ビニール袋
３    ストラップ
４    四角形ゲージ
５    測定部位
６    透孔
１１  箱体
１２  ヘッダー部
１３  石突ゴム
１４  半円形ゲージ
１５  測定部位
１６  透孔
Ｓ    ステッキ
【要約】
【課題】パッケージを開けなくてもユーザーがパッケージ内の種類の異なるパーツに対応する部位をゲージで間違えることなく測定できるようにしたステッキパーツ用ゲージ付パッケージを提供すること。
【解決手段】ステッキ用パーツを収納して販売するためのパッケージであって、ステッキＳにおけるパーツを取り付ける部位を測定するためのゲージ４が設けられているとともに、該ゲージ近傍に該ゲージで測定するステッキの測定部位５が図示され、該ゲージは直径部分が開口した半円形や一辺が開口した四角形であることを特徴とする。
【選択図】図１【図１】
0005936211.tif 000002
【図２】
0005936211.tif 000003
【図３】
0005936211.tif 000004
【図４】
0005936211.tif 000005